(57)【要約】【課題】柔軟な設計を可能にし、義肢内部の収容空間を減少させることができるリニア駆動システムを提供する。【解決手段】一つの固定枠と、固定枠に設けられている一つの動力源と、原位置で回転可能に固定枠に設けられており、動力源に連結されており、動力源に駆動され原位置で回転可能である一つのナットと、一つの制限スライドレール及び一つの制限スライドブロックを有し、制限スライドレールは固定枠に設けられており、制限スライドレールの延伸方向とナットの軸方向とが平行であり、制限スライドブロックは移動可能に制限スライドレールに設けられている一つのネジ制限装置と、ナットに螺接されており、一端がネジ制限装置の制限スライドブロックに連結されており、ナットの回転によりナットの軸方向に沿って往復移動する一つのネジとを備える。【選択図】  図１
2018042642.tif 000002
【特許請求の範囲】
【請求項１】
一つの固定枠と、
前記固定枠に設けられている一つの動力源と、
原位置で回転可能に前記固定枠に設けられており、前記動力源に連結されており、前記動力源により駆動され原位置で回転可能である一つのナットと、
一つの制限スライドレール及び一つの制限スライドブロックを有し、前記制限スライドレールは前記固定枠に設けられており、前記制限スライドレールの延伸方向と前記ナットの軸方向とが平行であり、前記制限スライドブロックは移動可能に前記制限スライドレールに設けられている一つのネジ制限装置と、
前記ナットに螺接されており、一端が前記ネジ制限装置の前記制限スライドブロックに連結されており、前記ナットの回転により前記ナットの軸方向に沿って往復移動する一つのネジと、
を備えることを特徴とするリニア駆動システム。
【請求項２】
一つの伝動スライドレール装着座、一つの伝動スライドレール、一つの伝動スライドブロック、及び一つの可動座をさらに備え、
前記伝動スライドレール装着座は前記固定枠に設けられており、
前記伝動スライドレールは前記伝動スライドレール装着座に設けられており、
前記ネジ制限装置の前記制限スライドレールの一つの側辺に位置し、前記伝動スライドレールの延伸方向と前記ネジ制限装置の前記制限スライドレールの延伸方向とが平行であり、
前記伝動スライドブロックは前記伝動スライドレールに移動可能に設けられており、
前記可動座は前記伝動スライドブロックに設けられており、前記ネジ制限装置の前記制限スライドブロックに連結されており、
前記制限スライドブロックにより前記可動座が前記ネジと同期移動することを特徴とする請求項１に記載のリニア駆動システム。
【請求項３】
前記制限スライドレールと前記伝動スライドレールの間は、前記ネジを中心として９０度と成るよう並んでいることを特徴とする請求項２に記載のリニア駆動システム。
【請求項４】
少なくとも一つの緩衝弾性ユニットを有し、
前記緩衝弾性ユニットは前記固定枠と前記可動座との間に設けられていることを特徴とする請求項２に記載のリニア駆動システム。
【請求項５】
前記固定枠は、一つの第一端部座、一つの第二端部座、及び前記第一端部座と前記第二端部座とを連結する一つの連結座を有し、
前記動力源は前記第一端部座の外周面に設けられており、
前記ナットは前記第一端部座の内部に設けられており、
前記制限スライドレールは前記連結座に設けられており、
前記伝動スライドレール装着座の両端はそれぞれ前記第一端部座及び前記第二端部座に連結されており、
前記可動座は前記第一端部座と前記第二端部座との間に位置し、
前記緩衝弾性ユニットの数は少なくとも二つであり、
一つの前記緩衝弾性ユニットは前記固定枠の前記第一端部座と前記可動座との間に設けられており、
もう一つの前記緩衝弾性ユニットは前記固定枠の前記第二端部座と前記可動座との間に設けられていることを特徴とする請求項４に記載のリニア駆動システム。
【発明の詳細な説明】
【技術分野】
【０００１】
本発明は義肢の内部の収容空間を減少させるリニア駆動システムに関する。
【背景技術】
【０００２】
一般的に、義肢装置（Ｐｒｏｓｔｈｅｓｉｓ）中のリニア駆動システム、例えば、ボールネジは、いずれも動力源、例えば、モーター、減速機によりネジを駆動回転させ、ネジがナットを連動させネジに沿って往復変位させ、ナットを介してナットに設けられている構造を前進または後退させる。しかし、動力源によりネジを駆動し、そしてネジによりナットを駆動する方法は、動力源をネジの両端に設けることに限られ、リニア駆動システムの義肢内の位置が制限される。ナットの行程を考量し、動力源を設置するとき、ナットが自由に移動する空間を残す必要が有る。これにより、義肢内においてリニア駆動システムを設ける空間を有効に低減することができず、義肢の体積が大きくなる。
【０００３】
例えば、一般のボールネジは、ネジの長さがナットより長い。前述の動力源によりネジを回転させることでナットを回転させる方法は、二つの場合が有る。例えば、特許文献１、特許文献２では、モーターはネジの互いに対向する端部に連結されており、リニア駆動器の全体長さがネジの長さより大きくなる。これにより、義肢内の空間は必ずネジの長さより長くないと、リニア駆動器を収容することができない。また、例えば、特許文献３では、モーターがナットの移動の邪魔と成らないようにし、且つリニア駆動器を収容する必要があるため、ナットがネジに沿って進行する空間以外の箇所にリニア駆動器のモーターを設置する必要がある。これにより、義肢内の空間の幅は、必ずモーターの幅とナットの幅の和より大きくなる。これも同様に、義肢内のリニア駆動システムを収容する空間を有効に減少することができない。
【先行技術文献】
【特許文献】
【０００４】
【特許文献１】米国特許第８２３１６８７号公報
【特許文献２】米国特許第８２８７４７７号公報
【特許文献３】米国特許第８５００８２３号公報
【発明の概要】
【発明が解決しようとする課題】
【０００５】
本発明は、柔軟な設計を可能にし、義肢内部の収容空間を減少させることができるリニア駆動システムを提供する。
【課題を解決するための手段】
【０００６】
上述の目的を達成するために、本発明のリニア駆動システムは、一つの固定枠と、一つの動力源と、一つのナットと、一つのネジ制限装置と、一つのネジとを備える。
動力源は、固定枠に設けられており、動力の供給源を提供する。ナットは、原位置で回転可能に固定枠に設けられ、且つ動力源に連結されており、動力源に駆動され原位置で回転可能である。ネジ制限装置は、一つの制限スライドレール及び一つの制限スライドブロックを有し、制限スライドレールは固定枠に設けられており、制限スライドレールの延伸方向とナットの軸方向とが平行であり、制限スライドブロックは移動可能に制限スライドレールに設けられている。ネジは、ナットに螺接されており、一端がネジ制限装置の制限スライドブロックに連結されており、ナットの回転によりネジ制限装置に制限されることによってナットの軸方向に沿って往復移動する。
【０００７】
これにより、本発明のリニア駆動システムは、ナットに動力を加え、ナットによりネジを連動させ、ネジに搭載されている各部材がネジの軸方向に沿って往復移動するように各部材を連動させる。よって、ナットの位置を選ぶ時、ナットをネジのいずれの位置に設けても制限を受けない。また、ナットの移動に合わせて空間を残す必要がないため、義肢内で占める収容空間を減少することができる。
【０００８】
好ましくは、本発明のリニア駆動システムは、一つの伝動スライドレール装着座、一つの伝動スライドレール、一つの伝動スライドブロック、及び一つの可動座をさらに備える。伝動スライドレール装着座は固定枠に設けられており、伝動スライドレールは伝動スライドレール装着座に設けられており、ネジ制限装置の制限スライドレールの一つの側辺に位置し、伝動スライドレールの延伸方向とネジ制限装置の制限スライドレールの延伸方向とが平行であり、伝動スライドブロックは伝動スライドレールに移動可能に設けられており、可動座は伝動スライドブロックに設けられ、且つネジ制限装置の制限スライドブロックに連結されており、制限スライドブロックにより可動座がネジと同期移動するようにする。これにより、リニア駆動システムは、可動座を利用して、異なる装着方式において、他の部材と結合することができる。また、緩衝弾性ユニットにより、可動座に対して作動時の緩衝応力を提供する。同時に、一つの位置測定装置を設け、可動座の位置を即時に測定することができる。
【図面の簡単な説明】
【０００９】
【図１】本発明の第１実施例の外観を示す立体図である。
【図２】本発明の第２実施例の外観を示す立体図である。
【図３】本発明の第３実施例の外観を示す立体図である。
【図４】本発明の第３実施例の外観を別の角度で示す立体図である。
【発明を実施するための形態】
【００１０】
図１に示すように、本発明の第１実施例のリニア駆動システム１０は、一つの固定枠２０と、一つの動力源３０と、一つのナット４０と、一つのネジ制限装置５０と、一つのネジ６０とを備える。
【００１１】
固定枠２０は、一つの第一端部座２１、一つの第二端部座２２、及び第一端部座２１と第二端部座２２を連結する一つの連結座２３を有する。
【００１２】
動力源３０は、一つのモーター３１、一つの第一ベルトプーリー３２、一つの第二ベルトプーリー３３、及び一つの伝動ベルト３４を有する。モーター３１は固定枠２０の第一端部座２１の外周面に設けられており、動力供給源を提供する。第一ベルトプーリー３２は固定枠２０の第一端部座２１の外周面に回転可能に設けられており、モーターに連結されている。第二ベルトプーリー３３は、固定枠２０の第一端部座２１の外部端面に回転可能に設けられている。伝動ベルト３４は、第一ベルトプーリー３２及び第二ベルトプーリー３３に巻き付けられている。これにより、モーター３１が作動する時、第一ベルトプーリー３２はモーター３１により駆動され回転し、第一ベルトプーリー３２は伝動ベルト３４を介して第二ベルトプーリー３３を連動させ、ともに回転する。
【００１３】
ナット４０は、固定枠２０の第一端部座２１内に設けられており、動力源３０の第二ベルトプーリー３３にスリーブ接続され、動力源３０の第二ベルトプーリー３３と連動し、原位置で回転する。
【００１４】
ネジ制限装置５０は、一つの制限スライドレール５１及び一つの制限スライドブロック５２を有する。制限スライドレール５１は固定枠２０の連結座２３に固定されている。制限スライドレール５１の延伸方向とナット４０の軸方向とが平行である。制限スライドブロック５２は移動可能に制限スライドレール５１に設けられている。
【００１５】
ネジ６０は、ナット４０に螺接されている。ネジ６０の一端は一つの従動アセンブリ（図示せず）を接続するのに用いられる。ネジ６０の他端は固定枠２０の第一端部座２１を通過し、ネジ制限装置５０の制限スライドブロック５２に連結されていることによって、ネジ６０は、ナット４０が回転する時、ネジ制限装置５０により制限され、ナット４０の軸方向に沿って往復移動する。
【００１６】
上述したように、本発明のリニア駆動システム１０は以下のメリットを有する。
【００１７】
１．本発明では、動力源３０は主にナット４０に動力を加え、そして、ナット４０がネジ６０を連動させ、ネジ６０がネジ６０に搭載されている従動アセンブリを連動させナット４０の軸方向に沿って往復移動させる。よって、ナット４０の位置を選ぶ時、ナット４０をネジ６０のいずれの位置に設けても制限を受けない。また、動力源３０はナット４０を避ける必要がないため、動力源３０及びナット４０の位置ずれにより、義肢の収容空間は動力源３０の幅とナット４０の幅の和より小さくなる。そのため義肢の設計の柔軟性を高めることができる。
【００１８】
２．従来の技術では、従動アセンブリとナットとを一緒に設ける必要が有り、使用空間を有効に減少することができない。本発明では、従動アセンブリは、ネジ６０に設けられており、ナット４０に設けられていない。よって、ナット４０の位置に合わせる必要がない。このため、全体の体積を縮小することができ、使用空間を減少する効果を達成する。
【００１９】
図２及び図４に示すように、本発明の第二実施例では、二つの互いに対向する伝動スライドレール装着座７０、二つの互いに対向する伝動スライドレール７１、二つの伝動スライドブロック７２、及び一つの可動座７３を有する。
【００２０】
伝動スライドレール装着座７０の両端は固定枠２０の第一端部座２１及び第二端部座２２に設けられている。
【００２１】
伝動スライドレール７１は、伝動スライドレール装着座７０の外側の側面に設けられており、ネジ制限装置５０の制限スライドレール５１の二つの互いに対向する側辺に位置する。伝動スライドレール７１とネジ制限装置５０の制限スライドレール５１との間は、ネジを中心として９０度と成るよう並んでいる。伝動スライドレール７１の延伸方向とネジ制限装置５０の制限スライドレール５１の延伸方向とが平行である。
【００２２】
伝動スライドブロック７２は、伝動スライドレール７１に移動可能に設けられており、固定枠２０の第一端部座２１と第二端部座２２の間に位置する。
【００２３】
可動座７３は伝動スライドブロック７２に設けられており、ネジ制限装置５０の制限スライドブロック５２に連結されている。制限スライドブロック５２により可動座７３がネジ６０と同期移動するようにする。
【００２４】
上述したように、本実施例のリニア駆動システム１２は主に可動座７３を利用して従動アセンブリを搭載する。全体構造が前述の実施例より安定するほか、実際のニーズに合わせて異なる使用方式に変えることができる。
【００２５】
また、図３及び図４に示すように、固定枠２０は四つのバネ固定柱２４をさらに有する。四つのバネ固定柱２４は、可動座７３の四つの角部に貫設されており、固定枠２０の第一端部座２１及び第二端部座２２に連結されている。各バネ固定柱２４には一つの緩衝弾性ユニット７４が設けられている。一方の二つの緩衝弾性ユニット７４は固定枠２０の第一端部座２１と可動座７３の間に当接されており、他方の二つの緩衝弾性ユニット７４は固定枠２０の第二端部座２２と可動座７３の間に当接されている。これにより、可動座７３が移動する過程において緩衝弾性ユニット７４を利用して緩衝効果を得ることができ、可動座７３の作動安定性を高めることができる。他に、可動座７３は一つの位置測定装置７５と組み合わせて使用することができ、可動座７３の位置を即時に測定することができ、測定結果に基づいて適切な調整を行う。
【００２６】
上述したように、本発明は、ナット４０がネジ６０を駆動し移動させ、設計の柔軟性を増加するだけでなく、使用空間を縮小し、外力を抵抗する能力を高めることができる。他に、可動座７３と組み合わせて使用することにより、異なる方式で本発明に対して操作を行うことができ、本発明の目的を達成することができる。
【符号の説明】
【００２７】
１０  リニア駆動システム
２０  固定枠
２１  第一端部座
２２  第二端部座
２３  連結座
２４  バネ固定柱
３０  動力源
３１  モーター
３２  第一ベルトプーリー
３３  第二ベルトプーリー
３４  伝動ベルト
４０  ナット
５０  ネジ制限装置
５１  制限スライドレール
５２  制限スライドブロック
６０  ネジ
７０  伝動スライドレール装着座
７１  伝動スライドレール
７２  伝動スライドブロック
７３  可動座
７４  緩衝弾性ユニット
７５  位置測定装置
【図１】
2018042642.tif 000003
【図２】
2018042642.tif 000004
【図３】
2018042642.tif 000005
【図４】
2018042642.tif 000006
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
一つの第一端部座、一つの第二端部座、及び前記第一端部座と前記第二端部座とを連結する一つの連結座を有する一つの固定枠と、
モーターを含み、前記固定枠の前記第一端部座の外周面に設けられている一つの動力源と、
原位置で回転可能に前記固定枠の前記第一端部座の内部に設けられており、前記モーターとは異なる軸上で前記動力源に連結されており、前記動力源により伝動ベルトを介して駆動され原位置で回転可能である一つのナットと、
一つの制限スライドレール及び一つの制限スライドブロックを有し、前記制限スライドレールは前記固定枠の前記連結座に設けられており、前記制限スライドレールの延伸方向と前記ナットの軸方向とが平行であり、前記制限スライドブロックは移動可能に前記制限スライドレールに設けられている一つのネジ制限装置と、
前記ナットに螺接されており、一端が前記ネジ制限装置の前記制限スライドブロックに連結されており、前記ナットの回転により前記ナットの軸方向に沿って往復移動する一つのネジと、
両端がそれぞれ前記固定枠の前記第一端部座及び前記第二端部座に連結されている二つの伝動スライドレール装着座と、
前記伝動スライドレール装着座に設けられ、前記ネジ制限装置の前記制限スライドレールの側辺に位置し、前記ネジ制限装置の前記制限スライドレールの延伸方向と平行な方向に延伸する二つの伝動スライドレールと、
前記伝動スライドレールに移動可能に設けられている二つの伝動スライドブロックと、
前記第一端部座と前記第二端部座との間に位置し、前記伝動スライドブロックに設けられており、前記ネジ制限装置の前記制限スライドブロックに連結されており、前記制限スライドブロックにより前記ネジと同期移動する一つの可動座と、
を備えることを特徴とするリニア駆動システム。
【請求項２】
前記制限スライドレールと前記伝動スライドレールの間は、前記ネジを中心として９０度と成るよう並んでいることを特徴とする請求項１に記載のリニア駆動システム。
【請求項３】
前記固定枠の前記第一端部座と前記可動座との間に設けられた一つ以上の緩衝弾性ユニット、及び、前記固定枠の前記第二端部座と前記可動座との間に設けられた他の一つ以上の緩衝弾性ユニットを有することを特徴とする請求項１に記載のリニア駆動システム。
【手続補正２】
【補正対象書類名】明細書
【補正対象項目名】０００６
【補正方法】変更
【補正の内容】
【０００６】
上述の目的を達成するために、本発明のリニア駆動システムは、一つの固定枠と、一つの動力源と、一つのナットと、一つのネジ制限装置と、一つのネジとを備える。
固定枠は、一つの第一端部座、一つの第二端部座、及び第一端部座と第二端部座とを連結する一つの連結座を有する。動力源は、モーターを含み、固定枠の第一端部座の外周面に設けられている。ナットは、原位置で回転可能に固定枠の第一端部座の内部に設けられ、モーターとは異なる軸上で動力源に連結されており、動力源により伝動ベルトを介して駆動され原位置で回転可能である。ネジ制限装置は、一つの制限スライドレール及び一つの制限スライドブロックを有し、制限スライドレールは固定枠の連結座に設けられており、制限スライドレールの延伸方向とナットの軸方向とが平行であり、制限スライドブロックは移動可能に制限スライドレールに設けられている。ネジは、ナットに螺接されており、一端がネジ制限装置の制限スライドブロックに連結されており、ナットの回転によりネジ制限装置に制限されることによってナットの軸方向に沿って往復移動する。
【手続補正３】
【補正対象書類名】明細書
【補正対象項目名】０００８
【補正方法】変更
【補正の内容】
【０００８】
また、本発明のリニア駆動システムは、二つの伝動スライドレール装着座、二つの伝動スライドレール、二つの伝動スライドブロック、及び、一つの可動座をさらに備える。
伝動スライドレール装着座は、両端がそれぞれ固定枠の第一端部座及び第二端部座に連結されている。伝動スライドレールは、伝動スライドレール装着座に設けられ、ネジ制限装置の制限スライドレールの側辺に位置し、ネジ制限装置の制限スライドレールの延伸方向と平行な方向に延伸する。伝動スライドブロックは、伝動スライドレールに移動可能に設けられている。可動座は、第一端部座と第二端部座との間に位置し、伝動スライドブロックに設けられており、ネジ制限装置の制限スライドブロックに連結されており、制限スライドブロックによりネジと同期移動する。
これにより、リニア駆動システムは、可動座を利用して、異なる装着方式において、他の部材と結合することができる。また、緩衝弾性ユニットにより、可動座に対して作動時の緩衝応力を提供する。同時に、一つの位置測定装置を設け、可動座の位置を即時に測定することができる。